(57)【要約】【課題】収納部が洗面ボウルや洗面台等の上側の部材に干渉することなく上側の部材に近接した位置に設置できる。【解決手段】洗面台は洗面ボウルを装着したカウンターの下部に、ストッパー部と底部の間の空間に設置した回転式収納ポケット１２を有する。回転式収納ポケット１２は、ヒンジで回動して開閉可能な扉１５とその内面１５ａに固定した収納部１６とを備えた。収納部１６は断面略Ｕ字状の収納本体２１の長手方向両端に側部２２を有し、その内部に収納空間を仕切る仕切部２４を有する。収納部１６の開口１６ａは収納本体２１に対向配置された扉側端部２１ａａ及び奥側端部２１ｂｂと両側部２２とで形成した。扉１５の閉鎖状態で収納部１６の奥側端部２１ｂｂを扉側端部２１ａａより低い高さにした。回転式収納ポケット１２をカウンター側に寄せて設置し、更に底部１１をカウンター側に設置した。【選択図】図３
2018089243.tif 000002
【特許請求の範囲】
【請求項１】
下方に回動することで開放可能な扉と、
前記扉の内面に設けられた収納部とを備え、
前記収納部の開口は対向配置された扉側端部及び奥側端部を有していて、前記扉の閉鎖状態で前記収納部の奥側端部の方が前記扉側端部より高さが低く設定されていることを特徴とするキャビネット。
【請求項２】
前記収納部の前記扉側端部と奥側端部との間の上端部は凸曲線状に形成されている請求項１に記載されたキャビネット。
【請求項３】
前記収納部の奥側端部には前記扉側端部の方向に向けて突出する返し部が形成されている請求項１または２に記載されたキャビネット。
【請求項４】
前記収納部には内部を仕切る仕切部が設置され、前記仕切部には前記収納部の内面に当接する拡幅されたガイド部が設置されている請求項１から３のいずれか１項に記載されたキャビネット。
【請求項５】
前記扉を開閉するためのヒンジ部が前記収納部の下側に設置されている請求項１から４のいずれか１項に記載されたキャビネット。
【発明の詳細な説明】
【技術分野】
【０００１】
本発明は、例えば洗面台や洗面化粧台等に回転式の収納ポケットを備えたキャビネットに関する。
【背景技術】
【０００２】
従来、洗面台等において小型の小物入れとして回転式の収納ポケットを備えたものが知られている。例えば、特許文献１に記載されたキャビネットでは、洗面ボウルの前側に設けた空間を開閉可能な扉が設置され、扉の内面にはロールタオルを繰り出し可能に支持するロール軸が固定されている。扉を下側に回転させて水平に開放するとロールタオルが外側に引き出されて使用可能であり、蓋を閉めるとロールタオルは空間内に収納されるようになっている。
また、キャビネットに設置された一般的な回転式収納ポケットは例えば洗面台に設置した洗面ボウルの下部前側に設置され、下吊元の丁番によって扉を下方に回転させて斜めに開放する。扉の内面には直方体形状をなす箱状の収納部が固定され、扉の下方への開放動作で収納部を斜め外側に回動させて引き出すことで、収納部の開口を通して小物を出し入れできるようになっている。
【先行技術文献】
【特許文献】
【０００３】
【特許文献１】実開平６−９５８９号公報
【発明の概要】
【発明が解決しようとする課題】
【０００４】
しかしながら、上述した特許文献１に記載されたキャビネットは、洗面ボウルの前側の空間内にロールタオルを出し入れ可能に収納した扉を設置したにすぎず、しかも扉が水平位置に開くため小物入れ等の回転式収納ポケットには使用できなかった。
また、上述した従来の回転式収納ポケットでは、扉の内面に箱状の収納部を固定したため、閉鎖状態で収納部の四角形をなす上部開口は対向する二辺である扉側端部と奥側端部が水平位置にある。しかし、扉を外側に開放作動させた際に上部開口の奥側端部の回転軌跡が扉側端部の回転軌跡より大きいため、洗面ボウルの裏面や洗面台の上面と干渉しないように収納部を下側に距離を置いて設置しなければならなかった。そのため、収納部に対して扉の高さが相対的に大きくなり、大型化する欠点があった。
【０００５】
本発明は、このような課題に鑑みてなされたものであって、収納部が洗面ボウルや洗面台等の上側の部材に干渉することなく上側の部材に近接した位置に設置できるようにしたキャビネットを提供することを目的とする。
【課題を解決するための手段】
【０００６】
本発明によるキャビネットは、下方に回動することで開放可能な扉と、扉の内面に固定された収納部とを備え、収納部の開口は対向配置された扉側端部及び奥側端部を有していて、扉の閉鎖状態で収納部の奥側端部の方が扉側端部より高さが低く設定されていることを特徴とする。
本発明では、扉の閉鎖状態で収納部の奥側端部の方が扉側端部より高さが低く設定されているため、扉と収納部の開放作動時に例えば洗面ボウルや洗面台等の上側の部材に奥側端部が干渉することなく外側に回動させて開放状態にすることができ、扉と収納部を洗面ボウルや洗面台等の上側の部材により近接させた位置に設置できる。そのため、キャビネットの扉や収納部等を備えた回転式収納ポケットをキャビネットのより上側に設置できて回転式収納ポケット部分を薄型化できる。
【０００７】
また、収納部の扉側端部と奥側端部との間の上端部は凸曲線状に形成されていることが好ましい。
扉と共に収納部を外側に回動させて開放する際、収納部の上端部が凸曲線状であるためキャビネットの上側の部材と干渉することなく回転作動が行え、キャビネットの扉や収納部をキャビネットのより上側に設置できる。
【０００８】
また、収納部の奥側端部には扉側端部の方向に向けて突出する返し部が形成されていることが好ましい。
扉と収納部を開放位置から閉鎖位置に回動させて戻す際、奥側端部は扉側端部より高さが低いため収納部に収納した小物類等が慣性等で飛び出し易いが、奥側端部に返しを設けたため飛び出しを抑制できる。
【０００９】
また、収納部には内部空間を仕切る仕切部が設置されており、仕切部には収納部の内面に当接する拡幅されたガイド部が設置されていることが好ましい。
仕切部に拡幅されたガイド部を設けたため、収納部に仕切部を設置した状態で仕切部のガタツキを抑えて収納部から外れにくい。
【００１０】
また、扉を開閉するためのヒンジ部が収納部の下側に設置されていてもよい。
扉と収納部を開閉するためのヒンジ部が収納部の下側で扉に設置されているため、開閉操作時にヒンジ部に小物類等が挟まる等の不具合を生じない。
【発明の効果】
【００１１】
本発明によるキャビネットによれば、扉の閉鎖状態で収納部の奥側端部の方が扉側端部より高さが低いため、扉を回転させて開放作動させる際、収納部の奥側端部が洗面ボウルや洗面台等の上側の部材に干渉することを抑制できる。そのため、扉と収納部をより上側に寄せて設置できてコンパクト化できる。
【図面の簡単な説明】
【００１２】
【図１】本発明の第一実施形態による洗面台の要部斜視図である。
【図２】図１に示す洗面台の側面図である。
【図３】洗面台に設けた回転式収納ポケットの開放状態を収納部側から見た要部斜視図である。
【図４】回転式収納ポケットの収納部の部分斜視図である。
【図５】回転式収納ポケットの収納部の要部断面図である。
【図６】閉鎖状態にある回転式収納ポケットの要部説明図である。
【図７】開放状態にある回転式収納ポケットの要部説明図である。
【図８】収納部の第一変形例を示す断面図である。
【図９】収納部の第二変形例を示す断面図である。
【図１０】本発明の第二実施形態による洗面台の回転式収納ポケットの要部断面図である。
【図１１】本発明の第三実施形態による洗面台の回転式収納ポケットの開放状態を示す要部説明図である。
【発明を実施するための形態】
【００１３】
以下、本発明の各実施形態による洗面台について添付図面によって説明する。
図１は本発明の第一実施形態による洗面台１を示すものである。本実施形態による洗面台１はその上部に使用者の装飾品や小物等を載せるカウンター３が設置され、カウンター３に洗面ボウル４の裏面４ａが嵌め込まれている。洗面ボウル４の奥側には水栓５が設置されている。
本実施形態では、洗面ボウル４の上部はカウンター３の上面３ａから上方に突出しており、洗面ボウル４の下部の略凸曲面状をなす裏面４ａはカウンター３に嵌合されて下面３ｂの下方に一部が突出している。カウンター３の下方には空間が形成され、洗面台１の使用者が例えば椅子等に座った状態で足や膝等をカウンター下の空間内に入れて水栓５等を使用できるようになっている。
【００１４】
図２に示す洗面台１において、カウンター３の下部には空間が設置され、その奥側には水栓５に接続された配管８や排水管６等が配設されている。カウンター３の下部において、配管８等が設置された方向を奥側といい、これに対向して後述する回転式収納ポケット１２の扉１５を設置した方向を前側というものとする。
カウンター３の前側において、その先端面の下部より奥側に引っ込んだ位置に前板９が設置されている。前板９の前面側には回転式収納ポケット１２の扉１５を閉鎖位置で停止させるストッパー部１０が設置されている。ストッパー部１０はその基部が前板９の裏面に係止されていて先端部１０ａが前板９の前側に湾曲して延びて閉鎖位置にある扉１５の内面１５ａの上部に当接する位置にある。
【００１５】
前板９の下側には、洗面台１に固定されていて水平方向奥側に延びる例えば断面略Ｌ字型の底部１１が設置されている。底部１１は水平方向奥側に延びる底板１１ａとその奥側端部で上側に起立する起立部１１ｂとで略Ｌ字状に形成されている。底板１１ａは使用者が洗面台１の使用時に椅子に着座して足や膝等をカウンター３の下方に延ばした際に収納部１６や洗面ボウル４の裏面４ａから保護できる範囲に設置すればよい。
前板９及びストッパー部１０と底部１１との間には回転式収納ポケット１２が開閉可能に設置されている。カウンター３の下側に底部１１を設置することで、洗面台１の前で使用者が椅子に着座した際に足や膝等が収納部１６や洗面ボウル４の裏面４ａに接触することを防止している。
【００１６】
回転式収納ポケット１２は、図１に示すように、その上下に設けられた前板９及びストッパー部１０と底部１１と両側壁１４とで仕切られた細長い四角形の空間内に開閉可能に設置されている。図２及び図３に示す回転式収納ポケット１２は、ストッパー部１０及び前板９と底板１１ａとの間に設けられた開閉可能な扉１５と扉１５の内面１５ａに固定されていて小物類等の収納物を収納可能な収納部１６とが設けられている。扉１５の両端部において扉１５の内面１５ａと側壁１４とにヒンジ部１８が設置され、内面１５ａと底板１１ａとにステー１９が設置されている(図３参照)。
内面１５ａの両側に設けたヒンジ部１８及びステー１９によって、回転式収納ポケット１２は回動可能で閉鎖位置と斜め外側に回動した開口位置とに選択的に保持できる。また、内面１５ａの両側に設けたヒンジ部１８及びステー１９の間に収納部１６が設置されている。図１に示す例では収納部１６は扉１５の長手方向に１つ設置されている。しかし、収納部１６の長さを短くして２つまたは３つ以上設置してもよい。
【００１７】
図３乃至図５に示す収納部１６は、断面略Ｕ字状で長手方向に延びる収納本体２１とその両端部を閉鎖する側部２２とを備えている。収納本体２１は底面部を挟んで扉１５側の第一面２１ａと奥側の第二面２１ｂとを有しており、図５に示す閉鎖状態で第二面２１ｂより第一面２１ａの方が上方に高く延びて形成されている。側部２２は収納本体２１の両端部を封止し、その周縁部に形成した小幅のフランジ部で覆っているが、フランジ部はなくてもよい。
図５に示す収納部１６の閉鎖状態で第一面２１ａの上端部をなす扉側端部２１ａａは第二面２１ｂの上端部をなす奥側端部２１ｂｂよりも高い位置にある。収納部１６の上部の開口１６ａは対向する扉側端部２１ａａ及び奥側端部２１ｂｂと両側部２２の上端部２２ａとで構成されている。
【００１８】
奥側端部２１ｂｂは例えば断面略円弧状に湾曲形成されていて収納本体２１に収納された小物類が閉鎖作動時に外側に落下することを抑制している。なお、奥側端部２１ｂｂは小物類の落下を抑制できれば断面略円弧状に湾曲していなくてもよく、例えば断面角形状や奥側端部２１ｂｂが第一面２１ａ側に湾曲または屈曲したヒレ部等を有していてもよい。このような奥側端部２１ｂｂの収納本体２１内への突部形状を返し部という。
扉１５の閉鎖位置で収納部１６の第一面２１ａの扉側端部２１ａａは、前板９やストッパー部１０よりも下側の位置にある。第二面２１ｂの奥側端部２１ｂｂは扉側端部２１ａａより低い位置にあって、その回転軌跡は扉側端部２１ａａの回転軌跡より小さい半径に形成されている。そのため、回転式収納ポケット１２を開放作動させた際に奥側端部２１ｂｂは前板９やストッパー部１０に接触しない回転軌跡となる。同様に、収納本体２１の両側部２２も開閉位置に関わらず前板９やストッパー部１０に接触しないようにその上端部２２ａが凸曲面状に形成され、その両端部は扉側端部２１ａａ、奥側端部２１ｂｂの一部を形成している。
【００１９】
図５において、収納本体２１における第一面２１ａの扉側の裏面には、上部に略フック状の係合受け部２１ｃが形成され、下部に係合爪２１ｄが突出して形成されている。また、扉１５の内面１５ａには板状の係止部材２３が図示しないねじや接着剤等で固定され、係止部材２３の上部に係止爪２３ａが形成され、下部には略Ｕ字状の係止受け部２３ｂが形成されている。
収納本体２１の第一面２１ａの裏面下部に設けた係合爪２１ｄが係止部材２３の係止受け部２３ｂに係合し、第一面２１ａの上部に設けた係合受け部２１ｃに係止爪２３ａが係合することで、収納本体２１が扉１５の内面１５ａに取り付けられている。なお、係止部材２３を設けずに、収納本体２１を直接扉１５の内面にねじや接着剤等で固定してもよい。
【００２０】
また、収納部１６の内部には、収納本体２１の収納空間を区切る仕切部２４が設置されている。仕切部２４は収納本体２１の内面の断面形状に近似する形状の板材であり、その第一面２１ａ側上部の扉側端部２１ａａに係止する断面略フック状のガイド部２４ａが形成されている。ガイド部２４ａは仕切部２４の他の部分よりも幅広に形成したことで、仕切部２４のガタツキを防止すると共にスライドを許容しつつも仕切部２４が第一面２１ａから外れにくいようにした。なお、平板状や湾曲板状のガイド部は仕切部２４の周縁部のいずれに取り付けて収納本体２１の内面に当接させてもよい。
仕切部２４は図３に示す例では収納本体２１内に間隔を開けて２枚設置したが、設置枚数は任意に選択できる。また、収納本体２１内に仕切部２４を設置しなくてもよい。また、仕切部２４の上端部２４ｂは、収納本体２１の扉側端部２１ａａ側から奥側端部２１ｂｂ側に向けて、収納部１６の開閉位置に関わらず前板９やストッパー部１０に接触しないように凸曲面状に形成されている。
【００２１】
仕切部２４の上端部２４ｂによって、収納本体２１の第二面２１ｂの高さを第一面２１ａより低く形成しながらも小物類等の収納容積を大きくしている。収納部１６の両側部２２も同様に奥側端部２１ｂｂの高さを扉側端部２１ａａの高さより低くし上端部２２ａを凸曲面状に形成したため、小物類等の収納容積を大きくできる。また、仕切部２４の周縁部にガイド部２４ａより小幅のフランジ部を設置してスライドを容易にしているが、フランジ部は設置しなくてもよい。
【００２２】
本実施形態による洗面台１は上述した構成を備えており、次に洗面台１に設けた回転式収納ポケット１２の開閉方法について図６及び図７に沿って説明する。
図６は回転式収納ポケット１２の閉鎖状態を示すものであり、扉１５は略垂直に起立して内面１５ａがストッパー部１０の先端部１０ａに当接している。この状態で収納部１６はカウンター３の下側でストッパー部１０及び前板９と底部１１との間の空間内に収納されている。しかも、収納本体２１の第一面２１ａの扉側端部２１ａａはストッパー部１０の下側にあり、第二面２１ｂの奥側端部２１ｂｂは扉側端部２１ａａの奥側下方に位置している。この状態で、収納部１６は底部１１の底板１１ａに着座しているが、着座していなくてもよい。
【００２３】
閉鎖状態から使用者が扉１５を開放作動させると、図７に示すように回転式収納ポケット１２の扉１５は下吊元のヒンジ部１８を中心に開放作動し、収納部１６も扉１５と一体に外側に回転する。その際、奥側端部２１ｂｂの回転軌跡が扉側端部２１ａａの回転軌跡よりも径方向外側に位置することがない。そのため、収納本体２１の扉側端部２１ａａや奥側端部２１ｂｂがストッパー部１０の先端部１０ａに接触することなく外側に回動し、扉１５と収納部１６の開口１６ａが斜め外側に傾斜した開放位置で停止する。
しかも、収納本体２１の両側部２２や仕切部２４は上端部２２ａ、２４ｂが凸曲面状に形成されているため、同様にストッパー部１０や前板９に接触することなく外側に回動する。開放状態で、収納部１６の上部の開口１６ａがカウンター３の前方に飛び出しており、収納部１６内に小物類等を納めたり取り出したりすることができる。
【００２４】
その後、回転式収納ポケット１２を閉鎖作動させると、上述の開放作動と逆の動作で閉鎖され、扉１５がストッパー部１０の先端部１０ａに当接して停止する。閉鎖状態で、収納本体２１の奥側端部２１ｂｂは扉側端部２１ａａより低い位置にあるが、収納部１６内に収納された小物類は奥側端部２１ｂｂに設けた返しで飛び出しを阻止できる。
しかしながら、扉１５がストッパー部１０の先端部１０ａに当接した際の衝撃等で収納部１６内の小物類等の一部が奥側端部２１ｂｂを超えて飛び出すことがあり得る。その場合でも、飛び出した小物類は底部１１に落ちて起立部１１ｂで停止させられ、床面に落下することはない。この小物類は底部１１の下から使用者等が手を延ばして底部１１から回収できる。
【００２５】
なお、回転式収納ポケット１２は収納本体２１の奥側端部２１ｂｂが扉側端部２１ａａより低い位置にあるため、従来のものと比較して、よりカウンター３に近接した上側に位置させることができる。しかも、底部１１も上側に設置できる上に底板１１ａの奥行方向の長さを短く設定することができるので、底部１１内に落ちた小物類を下側の空間から底部１１に手を伸ばして容易に取り出すことができる。
【００２６】
上述したように、本実施形態に係る洗面台１によれば、閉鎖状態にある扉１５の内面１５ａに固定した収納部１６の奥側端部２１ｂｂを扉側端部２１ａａよりも下側に位置させたため、開放作動時に奥側端部２１ｂｂの回転軌跡が扉側端部２１ａａの回転軌跡よりも上側に位置することがなく回転式収納ポケット１２をカウンター３により近い上側に設置できる。そのため、扉１５の上下の幅を小さくできてカウンター３側に寄せることができるため、その下側の空間を大きく設定できて使用者の膝や足等を楽に挿入できる。しかも、底部１１の奥行長さを短く設定できるため、収納部１６から底部１１に落ちた小物類を容易に拾い上げることができる。
【００２７】
また、扉１５の内面１５ａにおける収納部１６の両側にヒンジ部１８やステー１９を設置したため、回転式収納ポケット１２の扉１５の上下の幅を短くして収納部１６をカウンター３により近い位置に設置できる。この点でも、底部１１の下側の空間をより大きくできる。
収納部１６の奥側の第二面２１ｂの高さが低くても上側の奥側端部２１ｂｂに湾曲部やヒレ部等の返しを設けたため、回転式収納ポケット１２を閉鎖した際の慣性や衝撃等で収納した小物類が飛び出すことを防止できる。
収納部１６に設けた仕切部２４や両側部２２の上端部２４ｂ、２２ａを扉側端部２１ａａと奥側端部２１ｂｂに沿って凸曲面状に形成したため、小物類等の収納容量が大きくなる。更に仕切部２４に設けたガイド部２４ａを幅広に設定したので扉側端部２１ａａに係止した状態でガタツキや外れ等を抑制できる。
更に収納部１６の収納本体２１の底部を曲面状に形成したため清掃が容易である。
【００２８】
なお、本発明による洗面台１は上述した実施形態に限定されるものではなく、本発明の趣旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００２９】
次に本発明の第一実施形態の変形例について図８及び図９により説明する。
図８は回転式収納ポケット１２の収納部１６の第一変形例を示すものであり、仕切部２４の上端部２４ｂについて凸曲線形状に代えて直線状に形成してもよい。或いは、図９に示すように、凹曲線状に形成してもよい。しかも、収納本体２１の両側部２２についても上端部２２ａを直線状や凹曲線状に形成してもよいし、或いは上述した構成と同様に凸曲線状に形成しておいてもよい。
これらの場合、収納部１６内に収納できる小物類等の量が上述の実施形態と比較して少し減少することになるが、同様な作用効果を発揮できる。
【００３０】
次に本発明の第二実施形態による洗面台１を図１０により説明する。
本第二実施形態による洗面台１Ａにおいて、扉１５の内面１５ａに設置する収納本体３０は扉１５側の第一面３０ａが奥側の第二面３０ｂよりも高さが小さく設定されていて内面１５ａに直接または他の部材を介して固定されている。そのため、扉１５の内面１５ａと収納本体３０とによって小物類等を収納する収納空間を有する収納部１６とその開口１６ａを形成する。扉１５と収納本体３０との間に仕切部２４が設置されている。この仕切部２４には扉１５の内面１５ａに当接してガタツキを抑制する板状のガイド部２４ａが設置されていてもよく、或いはなくてもよい。
そして、仕切部２４が扉１５の内面１５ａに接触する端部における上下方向の上端部が扉側端部２４ａａを形成する。この扉側端部２４ａａは返しを有する収納本体３０の奥側端部３０ｂｂより高い位置に設置されている。
本第二実施形態による洗面台１においても、第一実施形態と同様の機能と作用効果を発揮できる。
【００３１】
次に本発明の第三実施形態による洗面台１Ｂを図１１により説明する。
上述した第一実施形態では、扉１５の内面１５ａにおける収納部１６の両側にヒンジ部１８とステー１９が設置されている。そのため、回転式収納ポケット１２の開放状態で収納部１６の開口１６ａから小物類等を出し入れする際に誤って落下させ、ヒンジ部１８やステー１９に小物類等が挟まったりする可能性があった。
【００３２】
これに対し、本第三実施形態による洗面台１Ｂは、回転式収納ポケット１２における扉１５の内面１５ａに収納部１６が設置されている。そして、扉１５を開閉するためのヒンジ部１８はその一端が内面１５ａにおける収納部１６の下側に設置され、他端は底部１１の底板１１ａに設置されている。図１１ではステー１９は省略されているが、ステー１９も同様に扉１５の内面１５ａにおける収納部１６の下側と底板１１ａとに設置されている。
従って、本実施形態では、回転式収納ポケット１２における扉１５の開放状態において、収納部１６の開口１６ａから小物類等を出し入れする際に誤って落下させてもヒンジ部１８やステー１９に小物類等がぶつかったり挟まったりするおそれがなくなる。
【００３３】
なお、上述した各実施形態や変形例では洗面台１、１Ａ、１Ｂに設けた各回転式収納ポケット１２について説明したが、本発明は洗面台１、１Ａ、１Ｂ等に限定されることなく、洗面化粧台、戸棚や机、システムキッチン、その他の回転式収納ポケット１２を設置した各種の収納台等の各種のキャビネットに適用できることはいうまでもない。
【符号の説明】
【００３４】
１、１Ａ、１Ｂ  洗面台
４  洗面ボウル
９  前板
１０  ストッパー部
１１  底部
１２  回転式収納ポケット
１４  側壁
１５  扉
１５ａ  内面
１６  収納部
１６ａ  開口
１８  ヒンジ部
１９  ステー
２１  収納本体
２１ａａ  扉側端部
２１ｂｂ  奥側端部
２２  側部
２４  仕切部
２４ａ  ガイド部
【図１】
2018089243.tif 000003
【図２】
2018089243.tif 000004
【図３】
2018089243.tif 000005
【図４】
2018089243.tif 000006
【図５】
2018089243.tif 000007
【図６】
2018089243.tif 000008
【図７】
2018089243.tif 000009
【図８】
2018089243.tif 000010
【図９】
2018089243.tif 000011
【図１０】
2018089243.tif 000012
【図１１】
2018089243.tif 000013